(57)【要約】【課題】  サムターン回しを有効に防止しつつ、日常操作に不都合を生じさせないサムターン装置の提供。【解決手段】  サムターン軸１２は、回転動作によりデッドボルト３を進退させる。ツマミ３０は、径方向外側への突部３７が先端部に設けられ、この先端部をサムターン軸１２に係合することでサムターン軸１２を回転可能とする。取付座２０は、ツマミ３０が貫通する貫通穴２９を形成されたストッパー２８を有し、解錠時にはストッパー２８とサムターン軸１２との間にツマミ３０の先端部（突部３７）が配置されることで、ツマミ３０とサムターン軸１２とを係合状態に維持してサムターン軸１２を回転可能とする一方、施錠時にはツマミ３０の先端部が貫通穴２９に入り込み可能な位置へ配置されることで、ツマミ３０によるサムターン軸１２の回転を阻止可能とする。【選択図】      図２
2006028905.tif 000002
【特許請求の範囲】
【請求項１】
回転動作により施解錠操作するサムターン軸と、
前記サムターン軸に対し近接離隔可能に設けられ、その近接位置における前記サムターン軸との係合により前記サムターン軸を回転可能なツマミと、
解錠状態では前記ツマミを前記サムターン軸に対し前記近接位置に維持して、前記ツマミにより前記サムターン軸を回転可能で、施錠状態では前記ツマミを前記サムターン軸に対し離隔位置に配置可能として、前記ツマミによる前記サムターン軸の回転を阻止可能に前記ツマミを保持する取付座と
を備えることを特徴とするサムターン装置。
【請求項２】
回転動作により施解錠操作するサムターン軸と、
径方向外側への突部が先端部に設けられ、この先端部を前記サムターン軸に係合することで前記サムターン軸を回転可能なツマミと、
前記ツマミが貫通する貫通穴を形成された係止部を有し、解錠状態では前記係止部と前記サムターン軸との間に前記ツマミの先端部が配置されることで、前記ツマミと前記サムターン軸とを係合状態に維持して前記サムターン軸を回転可能とする一方、施錠状態では前記ツマミの先端部が前記貫通穴に入り込み可能な位置へ配置されることで、前記ツマミによる前記サムターン軸の回転を阻止可能とする取付座と
を備えることを特徴とするサムターン装置。
【請求項３】
前記ツマミの先端部と前記サムターン軸の基端部は、互いに係脱可能な凸部と凹部に形成されると共に、互いに磁着可能に少なくとも一方に磁石が設けられている
ことを特徴とする請求項２に記載のサムターン装置。
【請求項４】
前記取付座は、前記サムターン軸を軸方向移動不能で回転可能に保持する取付座本体と、この取付座本体にカバーを介して取り付けられるストッパーとからなり、
このストッパーにより前記係止部が構成され、
前記ツマミの先端側は、前記カバーおよび前記ストッパーに形成された各貫通穴を介して設けられ、
前記カバーに形成された貫通穴は、前記ストッパーからの前記ツマミの脱落を阻止する大きさに形成されている
ことを特徴とする請求項２または請求項３に記載のサムターン装置。
【発明の詳細な説明】
【技術分野】
【０００１】
本発明は、扉錠のサムターン装置に関し、特に不正な解錠を防止できるサムターン装置に関するものである。
【背景技術】
【０００２】
一戸建てやマンションなどの玄関扉の不正解錠行為として、いわゆるサムターン回しが知られている。これは、扉と扉枠との隙間（いわゆるチリ）などから針金や紐などを挿入し、室内側に取り付けてあるサムターン装置のツマミを解錠方向に回転させ、デッドボルトを後退して不正解錠するものである。このようなサムターン回しを防止するために、デッドボルトを進退操作させるサムターン軸に対し、そのサムターン軸を回転操作するツマミを着脱可能に設けることが提案されている。これにより、外出時にはツマミを取り外しておくことで、あるいはツマミをサムターン軸に取り付けたままでも、サムターン回しにより不正解錠しようとすればツマミが脱落するので、不正解錠が防止される。
【発明の開示】
【発明が解決しようとする課題】
【０００３】
しかしながら、ツマミの施解錠状態の位置に拘わらず、ツマミが常に脱落可能に構成されているので、正常な使用時においてもツマミが外れてしまうおそれがあった。そもそも解錠状態では、サムターン回しによる不正解錠を防止するためにツマミを脱落させる必要はない。また、そのような解錠状態からツマミを回転して施錠操作するのは、正規の住人のはずであるから、解錠状態でツマミが脱落してしまうのでは不都合である。
【０００４】
本発明は、上記事情に鑑みてなされたものであり、その主たる目的は、いわゆるサムターン回しを有効に防止しつつ、日常操作に不都合を生じさせないサムターン装置を提供することにある。
【課題を解決するための手段】
【０００５】
上記目的を達成するために、本発明のサムターン装置は、回転動作により施解錠操作する（典型的にはデッドボルト(3)を進退操作させる）サムターン軸(12)と、前記サムターン軸(12)に対し近接離隔可能に設けられ、その近接位置における前記サムターン軸(12)との係合により前記サムターン軸(12)を回転可能なツマミ(30)と、解錠状態では前記ツマミ(30)を前記サムターン軸(12)に対し前記近接位置に維持して、前記ツマミ(30)により前記サムターン軸(12)を回転可能で、施錠状態では前記ツマミ(30)を前記サムターン軸(12)に対し離隔位置に配置可能として、前記ツマミ(30)による前記サムターン軸(12)の回転を阻止可能に前記ツマミ(30)を保持する取付座(20)とを備えることを特徴とする。
【０００６】
具体的には、前記ツマミ(30)は、前記サムターン軸(12)への近接位置においては、回転可能であると共に、前記サムターン軸(12)への係合状態を維持する。一方、前記ツマミ(30)は、前記サムターン軸(12)からの離隔位置においては、前記サムターン軸(12)との係合を解除されるか、および／または、その回転を係止部（ストッパー）(28)などで阻止される（後者の場合、前記ツマミ(30)と前記サムターン軸(12)との係合の有無は問わない）。そして、解錠状態において前記近接位置を常に維持（つまり解錠状態では前記サムターン軸(12)に対する前記ツマミ(30)の係合を解除不能に）する一方、施錠状態において前記離隔位置へ配置可能に構成する。これにより、解錠状態では、前記ツマミ(30)は、前記サムターン軸(12)との係合状態を維持して回転可能で、回転させると必ず前記サムターン軸(12)を回転させることができるが、施錠状態では、サムターン回しにより前記ツマミ(30)に不自然な力が作用すると、前記ツマミ(30)は、前記サムターン軸(12)から前記離隔位置へ移動して、前記サムターン軸(12)の不正な回転による不正解錠を防止する。
【０００７】
また、本発明のサムターン装置は、回転動作により施解錠操作する（典型的にはデッドボルト(3)を進退させる）サムターン軸(12)と、径方向外側への突部(37,37)が先端部に設けられ、この先端部を前記サムターン軸(12)に係合することで前記サムターン軸(12)を回転可能なツマミ(30)と、前記ツマミ(30)が貫通する貫通穴(29)を形成された係止部(28)を有し、解錠時には前記係止部(28)と前記サムターン軸(12)との間に前記ツマミ(30)の先端部が配置されることで、前記ツマミ(30)と前記サムターン軸(12)とを係合状態に維持して前記サムターン軸(12)を回転可能とする一方、施錠時には前記ツマミ(30)の先端部が前記貫通穴(29)に入り込み可能な（典型的には係合可能な）位置へ配置されることで、前記ツマミ(30)による前記サムターン軸(12)の回転を阻止可能とする取付座(20)とを備えることを特徴とする。
【０００８】
具体的には、解錠状態では、前記ツマミ(30)は、前記係止部(28)と前記サムターン軸(12)との間に前記ツマミ(30)の先端部を配置した状態で回転可能であると共に、前記サムターン軸(12)への係合状態を維持する。一方、施錠状態では、前記ツマミ(30)は、その先端部が前記係止部(28)の貫通穴(29)に入り込み可能な位置へ配置されており、この入り込みがなされると、前記ツマミ(30)は、前記サムターン軸(12)との係合を解除されるか、および／または、前記突部(37)が前記貫通穴(29)内で当接することで回転阻止される（後者の場合、前記ツマミ(30)と前記サムターン軸(12)との係合の有無は問わない）。これにより、解錠状態では、前記ツマミ(30)は、前記サムターン軸(12)との係合状態を維持して回転可能で、回転させると必ず前記サムターン軸(12)を回転させることができるが、施錠状態では、サムターン回しにより前記ツマミ(30)に不自然な力が作用すると、前記ツマミ(30)は、前記サムターン軸(12)から離間する方向へ移動して、前記サムターン軸(12)の不正な回転による不正解錠を防止する。
【０００９】
そして、好ましくは上記構成に加えて、前記ツマミ(30)の先端部と前記サムターン軸(12)の基端部は、互いに係脱可能な凸部(37)と凹部(15)に形成されると共に、互いに磁着可能に少なくとも一方に磁石(38)が設けられていることを特徴とするサムターン装置である。
【００１０】
さらに好ましくは上記構成に加えて、前記取付座(20)は、前記サムターン軸(12)を軸方向移動不能で回転可能に保持する取付座本体(21)と、この取付座本体(21)にカバー(40)を介して取り付けられるストッパー(28)とからなり、このストッパー(28)により前記係止部が構成され、前記ツマミ(30)の先端側は、前記カバー(40)および前記ストッパー(28)に形成された各貫通穴(41a,29)を介して設けられ、前記カバー(40)に形成された貫通穴(41a)は、前記ストッパー(28)からの前記ツマミ(30)の脱落を阻止する大きさに形成されていることを特徴とするサムターン装置である。
【発明の効果】
【００１１】
本発明のサムターン装置によれば、施錠状態において針金や紐などによって不正解錠しようとしても、サムターン軸を解錠方向に回転させることができない。よって、いわゆるサムターン回しを有効に防止することができる。その一方、解錠状態では、ツマミとサムターン軸との係合が解除されることがなく、通常の操作に不都合を生じるおそれがない。
【発明を実施するための最良の形態】
【００１２】
以下、本発明のサムターン装置について、実施例に基づき更に詳細に説明する。
図１は、本発明のサムターン装置を備えた扉錠の縦断面図であり、扉の厚さ方向に沿う面で切断した状態を示している。
【００１３】
本実施例のサムターン装置が適用された扉錠１は、錠ケース２を備える。この錠ケース２は、扉１００の戸先側端部の上下方向略中央部に取り付けられ、扉１００を施解錠するデッドボルト３が設けられている。デッドボルト３は、錠ケース２の戸先側端面から出没可能とされており、そのデッドボルト３を出没させるための出没操作機構４が錠ケース２に内蔵されている。
【００１４】
図１に示すように、デッドボルト３の出没、つまり前進または後退は、錠ケース２に連結するように取り付けられる室内側のサムターン装置１０のツマミ３０、または室外側のシリンダー錠８０の鍵（不図示）の操作により行なわれる。
【００１５】
なお、図１に示す扉錠１は、本発明のサムターン装置が適用される一例としての彫込錠であるが、本発明のサムターン装置１０は、面付錠や電気錠など、その他のあらゆる公知の錠にも適用可能である。また、扉錠１の施解錠機構は、本実施例のようにデッドボルト３を出没作動させるものに限らず、サムターンやシリンダーの操作によって、レバーハンドルやノブなどの回転を制御して、施解錠するようにした公知の扉錠にも適用できる。
【００１６】
図２は、本実施例のサムターン装置１０の縦断側面図であり、解錠状態を示している。この図に示すように、本実施例のサムターン装置１０は、前記錠ケース２に保持されるサムターン胴４５と、このサムターン胴４５の穴４６に差し込まれて、回転操作によりデッドボルト３を進退させるサムターン軸１２と、このサムターン軸１２を回転自在に軸受する取付座２０と、取付座２０を覆うカバー４０と、サムターン軸１２の基端部に係脱可能に設けられ、サムターン軸１２を回転させるためのツマミ３０とを備える。
【００１７】
図３は、サムターン軸１２を示す部品図であり、（ａ）は正面図、（ｂ）は右側面図、（ｃ）はＡ―Ａ断面図である。サムターン軸１２は、略丸棒状であり、先端部は若干縮径している。また、サムターン軸の基端部には、径方向外側に拡径してフランジ１４が形成されている。さらに、このフランジ１４から少し先端側位置には、リング７１（図２）がはめ込まれるリング取付溝１７が周方向に沿って形成されている。
【００１８】
サムターン軸１２の先端部１３は断面十字状に形成されており、この十字状の先端部１３が、錠ケース２に内蔵された出没操作機構（ハブなど）４に接続される。これにより、サムターン軸１２が回転すると、サムターン軸１２の先端部１３が出没操作機構４を介してデッドボルト３を進退させることになる。
【００１９】
一方、サムターン軸１２の基端部には、後述するツマミ３０の係合部３７と係合可能な被係合部（凹溝）１５が形成されている。本実施例では、フランジ１４の基端面中央に、基端側に開口する凹溝１５が径方向に沿って形成されている。図３（ａ）では、凹溝１５は、左右方向に沿って形成されており、その左右方向中央部は上下方向外側に円弧状に凹んで形成されている。この上下の円弧状部は、上下対称に形成されている。
【００２０】
さらに、本実施例のサムターン軸１２には、フランジ１４の基端面に、前記円弧状部に沿って基端側へ突出する一対の突出部１６，１６が形成されている。この一対の突出部１６，１６は、後述するストッパー２８の貫通穴２９に差し込み可能とされる。
【００２１】
サムターン軸１２の基端部中央には、前記凹溝１５の底部より先端側へ向けてネジ穴１２ａが形成されており、このネジ穴１２ａには、図２に示すように、軸方向に沿って皿ネジ７０がねじ込まれ、皿ネジ７０の頭部は凹溝１５の底部に配置されて露出される。
【００２２】
サムターン軸１２を回転可能に保持する取付座２０は、本実施例では取付座本体２１とストッパー（係止部）２８とからなる。図４は、取付座本体２１を示す部品図であり、（ａ）は正面図、（ｂ）はＢ―Ｂ断面図である。この図に示すように、取付座本体２１は、略円形の板材からなり、その軸心と偏心して貫通穴２２が軸方向に沿って形成されている。この貫通穴２２は、先端側から基端側へ行くに従って順次拡径する段付穴とされ、先端側の穴２６の基端部に第１拡径部２３が形成され、さらにその基端部に第２拡径部２４が形成されている。
【００２３】
取付座本体２１の第１拡径部２３の内径は、サムターン軸１２のフランジ１４の外径に対応しており、第１拡径部２３の先端壁２５に形成された穴２６は、サムターン軸１２の基端側軸部の外径に対応している。また、取付座本体２１の第２拡径部２４は、図４（ａ）に示すように、丸穴の左右両端部が径方向外側へそれぞれ略矩形状に膨出した形状とされる。
【００２４】
この取付座本体２１の第２拡径部２４には、ストッパー２８が嵌装される。図５は、ストッパー２８を示す部品図であり、（ａ）は正面図、（ｂ）はＣ―Ｃ断面図である。この図に示すように、本実施例のストッパー２８は、取付座本体２１の第２拡径部２４と対応した形状である。すなわち、ストッパー２８は、取付座本体２１の第二拡径部２４に嵌装可能な略矩形状の板材であり、左右方向中央部はそれぞれ上下方向外側に円弧状に膨出した形状とされる。
【００２５】
また、ストッパー２８の中央部には、厚さ方向に貫通穴２９が形成されている。この貫通穴２９は、図５（ａ）において左右方向に長い長方形状とされ、その左右方向中央部は上下方向外側に円弧状に凹んで形成されている。この上下の円弧状部は、上下対称に形成されている。
【００２６】
サムターン軸１２の基端部に係脱自在に設けられるツマミ３０は、回転操作される際に摘まれる基端側の操作部（操作部材）３１と、取付座本体２１の段付穴２２に差し込まれる差込部（差込部材）３５とからなり、操作部３１と差込部３５とは一体的に連結される。操作部３１の形状は特に問わないが、図示例では、側面視において、先端側へ行くに従ってやや縮幅する台形状とされ、その基端部は半円形状に形成されている。なお、操作部材３１の先端部の外形は、後述するカバー４０の貫通穴４１ａより大形とされる。
【００２７】
操作部材３１の基端側外周面には、周方向に沿ってキャップ３３がはめ込まれる取付溝３１ａが形成されている。そして、取付溝３１ａの中央部から先端側へ軸方向に沿って、キャップ３３の脚部３４が差し込まれる断面四角形状の取付穴３１ｂが形成されている。この取付穴３１ｂの先端部３１ｃは、上下方向外側へ若干拡幅している。
【００２８】
また、この取付穴３１ｂ、およびその先端部３１ｃの開口部に沿って、操作部材３１の先端面中央から基端側へ軸方向に円形の段付穴３１ｄ，３１ｅが形成されている。先端側大径穴３１ｄの基端部には、径方向に対向した位置に、径方向内側へ突出する一対の突起３１ｆ，３１ｆが軸方向に沿って形成されている。
【００２９】
図６は、差込部材３５を示す部品図であり、（ａ）は正面図、（ｂ）は右側面図、（ｃ）はＤ―Ｄ断面図である。この図に示すように、差込部材３５は、略丸棒状であり、その基端側外周面には、径方向に対向した位置に、前記突起３１ｆ，３１ｆに対応した略矩形状の凹部３６，３６が形成されている。このような差込部材３５は、操作部材３１の先端部中央に、先端側へ突出して一体的に設けられる。本実施例では、操作部材３１の先端側大径穴３１ｄに差込部材３５の基端部が差し込まれ、操作部材３１の基端部から前記基端側小径穴３１ｅを介してネジ７２がねじ込まれて、差込部材３５が操作部材３１に固定される。この状態では、操作部材３１の突起３１ｆと差込部材３５の凹部３６とは、互いに係合し一体回転可能とされる。
【００３０】
差込部材３５の先端部には、サムターン軸１２の被係合部（凹溝）１５に係合可能な係合部（凸部・突部）３７が一体的に設けられている。本実施例では、サムターン軸１２の凹溝１５に係合可能な凸部３７，３７が一体的に設けられている。具体的には、差込部材３５の先端側外周部には、その径方向両側に略矩形板状の一対の凸部３７，３７が径方向外側へ突出して一体形成されている。一対の凸部３７，３７の先端部間の長さは、取付座本体２１の第１拡径部２３の内径より小さい寸法とされる。
【００３１】
差込部材３５の先端面中央には、円柱形状の磁石３８が埋め込まれ、磁石３８の先端面３８ａは露出している。なお、図示例では、磁石３８の先端面３８ａが差込部材３５の先端面より先端側へ若干突出している。
【００３２】
一対の凸部３７，３７が形成された差込部材３５の先端部は、サムターン軸１２の凹溝１５と係合可能であると共に、ストッパー２８の貫通穴２９より一まわり小さい相似形状である。なお、差込部材３５の一対の凸部３７，３７の先端部間距離は、ストッパー２８の貫通穴２９の左右寸法より小さく、ストッパー２８の貫通穴２９の上下寸法より大きい。したがって、差込部材３５の先端部を、ストッパー２８の貫通穴２９に対して周方向の位置を対応させると、差込部材３５の先端部はストッパー２８の貫通穴２９より一まわり小さいので、差込部材３５の先端部はストッパー２８の貫通穴２９に入り込むことができる。ところが、例えばツマミ３０が回転して、ツマミ３０の差込部材３５が回転すると、この対応関係がずれるので、差込部材３５の一対の凸部３７，３７がストッパー２８の貫通穴２９に入り込めなくなる。このように、差込部材３５の先端部は、周方向所定箇所でのみ（施錠状態でのみ）、ストッパー２８の貫通穴２９に入り込むことが可能であるが、他の箇所ではそれが不可能である。
【００３３】
図２に示すように、取付座２０を被覆するカバー４０は、先端側に開口した筒形状とされ、取付座２０にはめ込み可能に取付座２０の外形より一まわり大きく形成されている。このカバー４０の基端面４１の中央には、ツマミ３０の差込部材３５が通される貫通穴４１ａが軸方向に沿って形成されている。この貫通穴４１ａの径は、差込部材３５の軸部の直径より若干大径とされる一方、差込部材３５の一対の凸部３７，３７の先端部間距離より小径とされる。
【００３４】
ところで、サムターン軸１２は、その先端部１３が取付座本体２１の第１拡径部２３からその先端壁２５の穴２６に差し込まれて、リング取付溝１７にリング７１がはめ込まれる。これにより、サムターン軸１２は、その軸方向の移動が規制された状態で取付座本体２１に回転可能に保持されると共に、サムターン軸１２のフランジ１４は取付座本体２１の第１拡径部２３に配置される。なお、符号７３は、ワッシャである。
【００３５】
取付座本体２１に設けられたサムターン軸１２の凹溝１５に、差込部材３５の先端部がはめ込まれて係合された状態で、取付座本体２１の第２拡径部２４にストッパー２８が回転不能に嵌装される。この際、上述したように、ストッパー２８の貫通穴２９に、サムターン軸１２の突出部１６，１６が差し込まれる。差込部材３５の凸部３７，３７がサムターン軸１２の凹溝１５に係合した状態では、差込部材３５の凸部３７，３７とストッパー２８の先端面との間には、若干の隙間が生じる。
【００３６】
取付座本体２１にストッパー２８がはめ込まれてなる取付座２０には、カバー４０が被せられる。また、差込部材３５の基端部に、操作部３１がはめ込まれて操作部３１の基端部からネジ７２がねじ込まれて、操作部３１と差込部材３５とが一体化される。
【００３７】
サムターン軸１２およびツマミ３０が取り付けられた取付座２０は、サムターン胴４５に取り付けられて、扉１００の室内側面に取り付けられる。サムターン胴４５は、円柱形状であり、その軸心と偏心して段付穴４６が軸方向に沿って貫通して形成されている。取付座２０は、サムターン軸１２をサムターン胴４５の段付穴４６に差し込んだ状態で、サムターン胴４５の基端面に重ね合わされて、サムターン胴４５にカバー４０を介してネジ止めされる。
【００３８】
なお、図１に示すように、サムターン胴４５の周囲には、筒状のサムターンカラー４８が設けられる。このサムターンカラー４８は、サムターン胴４５との間に配置されたコイルバネ４９により、扉側へ付勢された状態で取り付けられている。サムターンカラー４８は、軸方向に移動可能であるから、コイルバネ４９の伸縮を利用して扉１００の厚さの変化に対応可能とされる。また、取付座２０の扉１００への固定方法は、従来公知の上記例に限られるものではなく、その他の公知の取付方法、例えば扉１００に直接ネジ止めされるものなどでもよい。
【００３９】
このような構成の本実施例のサムターン装置１０は、ツマミ３０の先端部に設けられた凸部３７をサムターン軸１２の凹溝１５にはめ込んで係合させた状態において、従来のように、ツマミ３０の操作部３１を施解錠の際に左右いずれかの方向へ９０度回転操作して使用される。
【００４０】
図７は、ストッパー２８と差込部材３５の先端部との位置関係を示す概略説明図であり、（ａ）は解錠状態を示す図であり、（ｂ）は施錠状態を示す図である。解錠状態では、図２に示すように、サムターン軸１２の凹溝１５は、正面視において上下方向に沿って配置される。これに伴って、サムターン軸１２の凹溝１５に係合された差込部材３５の一対の凸部３７，３７も、上下方向に沿って配置されている。
【００４１】
この状態では、図７（ａ）に示すように、差込部材３５の一対の凸部３７，３７は、ストッパー２８の貫通穴２９の長手方向と直角に交差しており、軸方向に移動不可能であり、差込部材３５とサムターン軸１２との係合が解除されることがない。そのため、操作者は、この解錠状態から施錠する場合には、通常通り、ツマミ３０の操作部３１を摘んで９０度回転させればよい。この操作時に、サムターン軸１２からツマミ３０が脱落するおそれはない。
【００４２】
図８は、本実施例のサムターン装置１０の縦断側面図であり、施錠状態を示している。この図に示すように、施錠状態では、解錠状態から９０度回転したサムターン軸１２の凹溝１５は正面視において左右方向に沿って配置される。これに伴って、サムターン軸１２の凹溝１５に係合された差込部材３５の一対の凸部３７，３７も、左右方向に沿って配置されている。
【００４３】
この状態では、図７（ｂ）に示すように、差込部材３５の一対の凸部３７，３７は、ストッパー２８の貫通穴２９の長手方向と沿うよう配置されており、上述したように、差込部材３５の先端部は、ストッパー２８の貫通穴２９に入り込むことができるので、差込部材３５は、軸方向に沿って基端側へ移動可能とされる。
【００４４】
ところで、本実施例のサムターン装置１０は、ツマミ３０に設けられた磁石３８が、サムターン軸１２に設けられた磁性体である皿ネジ７０に吸着しており、ツマミ３０とサムターン軸１２とは磁石３８の磁着力によって係合状態が保持される。そのため、この施錠状態において、周方向（回転操作方向）に正常な力が付加された場合には、ツマミ３０とサムターン軸１２との係合が解除されることはない。よって、操作者は、この施錠状態から解錠する場合には、通常通り、操作部３１を摘んで正常に９０度回転させればよい。
【００４５】
しかしながら、ツマミ３０に、正常な回転操作力でなくサムターン軸１２との係合が解除される方向にその磁着力より大きい力が作用すると、ツマミ３０とサムターン軸１２との係合が解除される。従って、室外側から差し込まれる針金等によってツマミ３０を不正に回転させようとすると、ツマミ３０とサムターン軸１２との係合が解除され、解錠操作ができなくなる。よって、いわゆるサムターン回しによる不正解錠を防止することができる。以下、具体的に説明する。
【００４６】
図９は、図８の状態からツマミ３０にサムターン軸１２から離間する方向の力が作用した状態を示す縦断側面図である。この図に示すように、ツマミ３０とサムターン軸１２とは別体であるので、針金等によりツマミ３０に周方向以外の力、例えば上下方向あるいは左右方向に力がかかった場合、ツマミ３０は下方へ傾倒したり、左右に傾倒したりする。
【００４７】
つまり、施錠状態において、ツマミ３０に正常な周方向以外の力が付加された場合、一対の凸部３７，３７が形成された差込部材３５の先端部は、ストッパー２８の貫通穴２９よりやや小さく、差込部材３５の一対の凸部３７，３７とストッパー２８の貫通穴２９とが対応した位置関係にあるので、ツマミ３０は傾倒するなどして、ツマミ３０の先端部の少なくとも一部が、ストッパー２８の貫通穴２９内へ入り込むことになる。
【００４８】
これにより、ツマミ３０とサムターン軸１２との係合が解除され、ツマミ３０に力を付加しても、サムターン軸１２に力が伝達されず、サムターン軸１２を回転させることができず解錠することができない。また、仮に係合が解除されなくても、ツマミ３０の凸部３７がストッパー２８の貫通穴２９へ僅かでも入り込めば、ツマミ３０を回転させようとしても、ツマミ３０の凸部３７がストッパー２８の貫通穴２９内で回転することができず、解錠操作することができない。
【００４９】
このように、本実施例のサムターン装置１０によれば、ツマミ３０の先端部がストッパー２８の貫通穴２９内へ入り込んで、ツマミ３０とサムターン軸１２との係合を解除するか、あるいはそれに代えてまたはそれに加えて、ツマミ３０の先端部がストッパー２８の穴２９へ入り込むことでツマミ３０の回転を阻止するので、サムターン回しを有効に防止することができる。なお、施錠状態では、上述したように、差込部材３５の先端部は、ストッパー２８の貫通穴２９を介して基端側へ移動可能であるが、凸部３７がカバー４０の基端面４１に当接することで、脱落することはない。
【００５０】
このように、本実施例のサムターン装置１０によれば、施錠状態において針金等により不正にサムターン回しをしようとする不正解錠を防止することできる。また、解錠状態では、ツマミ３０とサムターン軸１２との係合が解除されることがないので、常に施錠操作は容易にしかも確実に行える。また、施錠状態でも、ツマミ３０とサムターン軸１２とは磁力により互いに引きつけられ吸着されているので、ツマミ３０から手を離してもその係合状態は維持されて、不用意な係合解除が防止されると共に、ツマミ３０の回転操作を容易且つ確実に行なうことができる。さらに、ツマミ３０は、取付座２０から取り外されたり、脱落したりすることがないので、ツマミ３０を紛失することがなく、火災等の緊急時にも即対応できるので安全である。ところで、ツマミ３０の回転角度は９０度が最も好ましいが、それに限定されるものではなく、９０度以上でも９０度未満であってもよい。
【００５１】
なお、本発明のサムターン装置は、上記実施例の構成に限らず、適宜変更可能である。例えば、上記各実施例では、ツマミ３０に係合部（凸部）、サムターン軸１２に被係合部（凹溝）を形成したが、逆にしても構わない。加えて、ツマミ３０とサムターン軸１２とが係合可能であれば、ツマミ３０およびサムターン軸１２に形成される係合部または被係合部の形状は特に問わない。
【００５２】
そして、差込部材３５の先端部およびストッパー２８の貫通穴２９の形状は、前記実施例に限定されるものではない。例えば、サムターン軸１２の先端部をやや拡径した楕円形状などとし、ストッパー２８の貫通穴２９の形状もそれに合わせて変更してもよい。また、両者は前記実施例では略相似形としたが、それに限られない。差込部材３５の先端部の形状がストッパー２８の貫通穴２９より小さく、一定範囲または一定箇所で入り込み可能で、所定角度（典型的には９０度）回転した際には、入り込み不能となるような形状であればよく、特に限定されない。
【００５３】
また、上記実施例におけるサムターン軸１２の突出部１６は省略可能である。なお、突出部１６がない場合には、施錠状態においてサムターン回しが行われ、サムターン軸１２に対するツマミ３０の係合が解除された状態で、万一、室外側からキーで解錠すると、ツマミ３０をサムターン軸１２に係合させた正常な状態に係合復帰することが困難になる。
一方、突出部１６を設けた場合には、施錠状態においてサムターン回しが行われ、サムターン軸１２からツマミ３０が離間する方向へ移動した場合でも、ストッパー２８の貫通穴２９（前記突出部１６内）に凸部３７が入り込むことで、ツマミ３０の回転が不能となり、不正解錠が防止されると共に、サムターン軸１２に対するツマミ３０の周方向位置がずれることがないので、係合復帰動作が容易で確実に行える。
【００５４】
さらに、上記実施例では、ツマミ３０の先端部に磁石３８を設け、サムターン軸１２に皿ネジ７０を設けて、ツマミ３０とサムターン軸１２とを互いに磁着させ、係合状態を維持可能とする構成としたが、磁石３８をサムターン軸１２の側に設けたり、この磁石３８を無くしたり、または磁石３８の代わりにコイルバネなどの付勢部材を使用してツマミ３０をサムターン軸１２側へ付勢しても構わない。
【００５５】
例えば、コイルバネを使用する場合、ツマミ３０の差込部材３５に、コイルバネを通した状態で、上記実施例と同様に取付座２０に取り付ける。この際、コイルバネの先端部は、差込部材３５の凸部３７に当接し、基端部はカバー４０またはストッパー２８に当接させる。これにより、圧縮されたコイルバネにより、差込部材３５はサムターン軸１２側へ付勢され、差込部材３５とサムターン軸１２との係合状態が、上記実施例と同様に維持されると共に、不正解錠時にはツマミ３０はコイルバネの付勢力に対抗して基端側（室内側）へ移動して、上記実施例と同様に不正解錠が防止される。
【図面の簡単な説明】
【００５６】
【図１】本発明の一実施例のサムターン装置を備えた扉錠の縦断面図であり、扉の厚さ方向に沿う面で切断した状態を示している。
【図２】実施例のサムターン装置の縦断側面図であり、解錠状態を示している。
【図３】実施例のサムターン軸を示す部品図であり、（ａ）は正面図、（ｂ）は右側面図、（ｃ）はＡ―Ａ断面図である。
【図４】実施例の取付座本体を示す部品図で、（ａ）は正面図、（ｂ）はＢ―Ｂ断面図である。
【図５】実施例のストッパーを示す部品図で、（ａ）は正面図、（ｂ）はＣ―Ｃ断面図である。
【図６】実施例の差込部材を示す部品図で、（ａ）は正面図、（ｂ）は右側面図、（ｃ）はＤ―Ｄ断面図である。
【図７】ストッパーと差込部材の先端部との位置関係を示す概略説明図であり、（ａ）は解錠状態を示す図であり、（ｂ）は施錠状態を示す図である。
【図８】実施例のサムターン装置の縦断側面図で、施錠状態を示している。
【図９】図８の状態からツマミが傾倒した状態を示す縦断側面図である。
【符号の説明】
【００５７】
３  デッドボルト
１２  サムターン軸
１５  凹部（凹溝）
２０  取付座
２１  取付座本体
２８  係止部（ストッパー）
２９  貫通穴
３０  ツマミ
３７  凸部（突部）
３８  磁石
４０  カバー
４１ａ  貫通穴
【図１】
2006028905.tif 000003
【図２】
2006028905.tif 000004
【図３】
2006028905.tif 000005
【図４】
2006028905.tif 000006
【図５】
2006028905.tif 000007
【図６】
2006028905.tif 000008
【図７】
2006028905.tif 000009
【図８】
2006028905.tif 000010
【図９】
2006028905.tif 000011